(57)【要約】【課題】ユーザーの利便性を向上する。【解決手段】スマートフォン２００は、互いに独立して無線通信を実行する第１通信部２３０及び第２通信部２４０と、第１制御部２１０とを備える。プロジェクター１００は、互いに独立して無線通信を実行する第３通信部１４１及び第４通信部１４２と、第２制御部１５０と、を備える。第２制御部１５０は、第１通信部２３０及び第３通信部１４１を介して画像を受信し、第２通信部２４０及び第４通信部１４２を介して制御情報ＣＪを送信または受信する。また、第２制御部１５０は、第１通信部２３０と第３通信部１４１との間の通信が切断された場合に、制御情報に基づき特定の切断であるか否かを判定する判定部１６６と、特定の切断でないと判定された場合に、第１通信部２３０と第３通信部１４１との間の通信を再接続する再接続部１６７とを備える。【選択図】図２
2020068498.tif 000002
【特許請求の範囲】
【請求項１】
画像を送信する画像送信装置と、前記画像送信装置が送信する前記画像を表示する表示装置と、を有する表示システムであって、
前記画像送信装置は、
互いに独立して無線通信を実行する第１通信部および第２通信部と、
前記第１通信部により前記画像を送信し、前記第２通信部により前記表示装置と制御情報を送信または受信する送信側制御部と、を備え、
前記表示装置は、
互いに独立して無線通信を実行する第３通信部および第４通信部と、
前記第３通信部によって前記第１通信部により送信される前記画像を受信し、前記第４通信部により前記画像送信装置と前記制御情報を送信または受信する受信側制御部と、を備え、
前記送信側制御部又は前記受信側制御部は、
前記第１通信部と前記第３通信部との間の通信が切断された場合に、前記制御情報に基づき特定の切断であるか否かを判定し、
前記特定の切断でないと判定された場合に、前記第１通信部と前記第３通信部との間の通信を再接続する、
表示システム。
【請求項２】
前記画像送信装置および前記表示装置の少なくともいずれかは、操作を受け付ける操作部を備え、
前記送信側制御部又は前記受信側制御部は、前記第１通信部と前記第３通信部との間の通信の切断が前記操作部の操作に起因する場合に、前記特定の切断であると判定する、
請求項１に記載の表示システム。
【請求項３】
前記送信側制御部又は前記受信側制御部は、前記第１通信部と前記第３通信部との間で通信の接続が確立されたときに、前記第２通信部と前記第４通信部との間の通信を接続する、
請求項１又は２に記載の表示システム。
【請求項４】
前記送信側制御部又は前記受信側制御部は、前記第１通信部と前記第３通信部との間で前記画像の送信が開始されたときに、前記第２通信部と前記第４通信部との間の通信を接続する、
請求項１又は２に記載の表示システム。
【請求項５】
前記送信側制御部又は前記受信側制御部は、前記第１通信部と前記第３通信部との間の通信が切断されたときに、前記第２通信部と前記第４通信部との間の通信を接続する、
請求項１又は２に記載の表示システム。
【請求項６】
前記第１通信部と前記第２通信部とは、互いに異なるハードウェアで構成され、
前記第３通信部と前記第４通信部とは、互いに異なるハードウェアで構成される、
請求項１から５のいずれか１項に記載の表示システム。
【請求項７】
前記表示装置は、表示部を備え、
前記受信側制御部は、前記第３通信部によって受信された前記画像を前記表示部に表示させ、前記特定の切断でないと判定した場合に、前記第１通信部と前記第３通信部との間の通信を再接続する旨を示す画像を前記表示部に表示させる、
請求項１から６のいずれか１項に記載の表示システム。
【請求項８】
前記第２通信部と前記第４通信部とは、近距離無線通信を介して、通信する、
請求項１から７のいずれか１項に記載の表示システム。
【請求項９】
互いに独立して無線通信を実行する第１通信部および第２通信部を備える画像送信装置が送信する画像を表示する表示装置であって、
互いに独立して無線通信を実行する第３通信部および第４通信部と、
前記第３通信部によって前記第１通信部により送信される前記画像を受信し、前記第４通信部により前記画像送信装置と制御情報を受信する受信側制御部と、を備え、
前記受信側制御部は、
前記第１通信部と前記第３通信部との間の通信が切断された場合に、前記制御情報に基づき特定の切断であるか否かを判定し、
前記特定の切断でないと判定された場合に、前記第１通信部と前記第３通信部との間の通信を再接続する、
表示装置。
【請求項１０】
画像を送信する画像送信装置と、前記画像送信装置が送信する前記画像を表示する表示装置と、を有する表示システムの制御方法であって、
前記画像送信装置が有する第１通信部によって前記画像を送信することと、
前記表示装置が有する第３通信部によって前記画像を受信することと、
前記画像送信装置が有し、前記第１通信部とは互いに独立して無線通信を実行する第２通信部、または、前記表示装置が有し、前記第３通信部とは互いに独立して無線通信を実行する第４通信部によって、制御情報を送信することと、
前記第２通信部または前記第４通信部によって、前記制御情報を受信することと、
前記第１通信部と前記第３通信部との間の通信が切断された場合に、前記制御情報に基づき特定の切断であるか否かを判定することと、
前記特定の切断でないと判定された場合に、前記第１通信部と前記第３通信部との間の通信を再接続することと、を含む、
表示システムの制御方法。
【発明の詳細な説明】
【技術分野】
【０００１】
本発明は、表示システム、表示装置、及び表示システムの制御方法に関する。
【背景技術】
【０００２】
従来、プロジェクターとパーソナルコンピューターとをネットワーク接続したプロジェクターシステムが知られている（例えば、特許文献１参照）。
特許文献１に記載のプロジェクターシステムは、プロジェクターとパーソナルコンピューターとをネットワーク接続して構成される。プロジェクター側でネットワーク接続の確立に必要なパスワードを生成し、スクリーンに投写する。パーソナルコンピューター側では、ユーザーがスクリーンに投写されたパスワードを見て入力する。プロジェクターとパーソナルコンピューターとは、このパスワードを用いて接続の認証および暗号通信を行う。
【先行技術文献】
【特許文献】
【０００３】
【特許文献１】特開２００３−６９９２３号公報
【発明の概要】
【発明が解決しようとする課題】
【０００４】
本発明は、ユーザーの利便性を向上可能な表示システム、表示装置、及び表示システムの制御方法を提供することを目的とする。
【課題を解決するための手段】
【０００５】
上記目的を達成する一態様は、画像を送信する画像送信装置と、前記画像送信装置が送信する前記画像を表示する表示装置と、を有する表示システムであって、前記画像送信装置は、互いに独立して無線通信を実行する第１通信部および第２通信部と、前記第１通信部により前記画像を送信し、前記第２通信部により前記表示装置と制御情報を送信または受信する送信側制御部と、を備え、前記表示装置は、互いに独立して無線通信を実行する第３通信部および第４通信部と、前記第３通信部によって前記第１通信部により送信される前記画像を受信し、前記第４通信部により前記画像送信装置と前記制御情報を送受信する受信側制御部と、を備え、前記送信側制御部又は前記受信側制御部は、前記第１通信部と前記第３通信部との間の通信が切断された場合に、前記制御情報に基づき特定の切断であるか否かを判定し、前記特定の切断でないと判定された場合に、前記第１通信部と前記第３通信部との間の通信を再接続する、表示システムである。
【０００６】
上記表示システムにおいて、前記画像送信装置および前記表示装置の少なくともいずれかは、操作を受け付ける操作部を備え、前記送信側制御部又は前記受信側制御部は、前記第１通信部と前記第３通信部との間の通信の切断が前記操作部の操作に起因する場合に、前記特定の切断であると判定する構成であってもよい。
【０００７】
上記表示システムにおいて、前記送信側制御部又は前記受信側制御部は、前記第１通信部と前記第３通信部との間で通信の接続が確立されたときに、前記第２通信部と前記第４通信部との間の通信を接続する構成であってもよい。
【０００８】
上記表示システムにおいて、前記送信側制御部又は前記受信側制御部は、前記第１通信部と前記第３通信部との間で前記画像の送信が開始されたときに、前記第２通信部と前記第４通信部との間の通信を接続する構成であってもよい。
【０００９】
上記表示システムにおいて、前記送信側制御部又は前記受信側制御部は、前記第１通信部と前記第３通信部との間の通信が切断されたときに、前記第２通信部と前記第４通信部との間の通信を接続する構成であってもよい。
【００１０】
上記表示システムにおいて、前記第１通信部と前記第２通信部とは、互いに異なるハードウェアで構成され、前記第３通信部と前記第４通信部とは、互いに異なるハードウェアで構成されてもよい。
【００１１】
上記表示システムにおいて、前記表示装置は、表示部を備え、前記受信側制御部は、前記第３通信部によって受信された前記画像を前記表示部に表示させ、前記特定の切断でないと判定した場合に、前記第１通信部と前記第３通信部との間の通信を再接続する旨を示す画像を前記表示部に表示させる構成であってもよい。
【００１２】
上記表示システムにおいて、前記第２通信部と前記第４通信部とは、近距離無線通信を介して、通信する構成であってもよい。
【００１３】
上記目的を達成する別の一態様は、互いに独立して無線通信を実行する第１通信部および第２通信部を備える画像送信装置が送信する画像を表示する表示装置であって、互いに独立して無線通信を実行する第３通信部および第４通信部と、前記第３通信部によって前記第１通信部により送信される前記画像を受信し、前記第４通信部により前記画像送信装置と制御情報を受信する受信側制御部と、を備え、前記受信側制御部は、前記第１通信部と前記第３通信部との間の通信が切断された場合に、前記制御情報に基づき特定の切断であるか否かを判定し、前記特定の切断でないと判定された場合に、前記第１通信部と前記第３通信部との間の通信を再接続する、表示装置である。
【００１４】
上記目的を達成する更に別の一態様は、画像を送信する画像送信装置と、前記画像送信装置が送信する前記画像を表示する表示装置と、を有する表示システムの制御方法であって、前記画像送信装置が有する第１通信部によって前記画像を送信することと、前記表示装置が有する第３通信部によって前記画像を受信することと、前記画像送信装置が有し、前記第１通信部とは互いに独立して無線通信を実行する第２通信部、または、前記表示装置が有し、前記第３通信部とは互いに独立して無線通信を実行する第４通信部によって、制御情報を送信することと、前記第２通信部または前記第４通信部によって、前記制御情報を受信することと、前記第１通信部と前記第３通信部との間の通信が切断された場合に、前記制御情報に基づき特定の切断であるか否かを判定することと、前記特定の切断でないと判定された場合に、前記第１通信部と前記第３通信部との間の通信を再接続することと、を含む、表示システムの制御方法である。
【図面の簡単な説明】
【００１５】
【図１】プロジェクターの構成を示すブロック図。
【図２】第１実施形態及び第２実施形態に係る表示システムの構成を示す図。
【図３】第１実施形態に係る表示システムの処理を示すフローチャート。
【図４】第２実施形態に係る表示システムの処理を示すフローチャート。
【図５】第３実施形態及び第４実施形態に係る表示システムの構成を示す図。
【図６】第３実施形態に係る表示システムの処理を示すフローチャート。
【図７】第４実施形態に係る表示システムの処理を示すフローチャート。
【発明を実施するための形態】
【００１６】
以下、図面を参照して実施形態について説明する。
なお、実施形態は、図２及び図３を参照して説明する第１実施形態と、図２及び図４を参照して説明する第２実施形態と、図５及び図６を参照して説明する第３実施形態と、図５及び図７を参照して説明する第４実施形態とを含む。
図１は、プロジェクター１００の構成を示すブロック図である。
【００１７】
図１に示すように、表示システム１は、プロジェクター１００とスマートフォン２００とを備える。プロジェクター１００は、投射部１１０と、投射部１１０を駆動する駆動部１２０とを備える。プロジェクター１００は、「表示装置」の一例に相当する。
投射部１１０は、光源１１１、光変調装置１１２及び光学ユニット１１３を備える。駆動部１２０は、光源駆動部１２１及び光変調装置駆動部１２２を備える。投射部１１０は、「表示部」の一例に相当する。
【００１８】
光源１１１は、ハロゲンランプ、キセノンランプ、超高圧水銀ランプ等のランプ、又はＬＥＤ（Ｌｉｇｈｔ  Ｅｍｉｔｔｉｎｇ  Ｄｉｏｄｅ）やレーザー光源等の固体光源を備える。
光源駆動部１２１は、後述する第２制御部１５０の制御に従い、光源１１１を点灯又は消灯させる。また、光源駆動部１２１は、点灯した光源１１１の輝度を調整する。
【００１９】
光変調装置１１２は、光源１１１が発した光を変調する光変調素子を備える。実施形態では、光変調装置１１２が光変調素子として透過型の液晶パネル１１５を備える場合について説明するが、これに限定されない。光変調素子は反射型の液晶パネル１１５であってもよいし、デジタルミラーデバイス（Ｄｉｇｉｔａｌ  Ｍｉｃｒｏｍｉｒｒｏｒ  Ｄｅｖｉｃｅ）であってもよい。
【００２０】
液晶パネル１１５は、表示単位としての複数の画素を垂直方向及び水平方向にマトリクス状に配置して構成される。
【００２１】
光変調装置駆動部１２２には、後述する画像処理部１４５から同期信号や画像データが入力される。光変調装置駆動部１２２は、入力された画像データに基づいて液晶パネル１１５を駆動する駆動信号を生成する。光変調装置駆動部１２２は、同期信号や駆動信号に基づいて液晶パネル１１５に画像を描画する。すなわち、光変調装置駆動部１２２は、液晶パネル１１５を構成する各画素の透過率を画像に対応した透過率に変更する。これにより、光源１１１が発した光が透過率を変更された液晶パネル１１５により変調されて、画像光が生成される。生成された画像光は、光学ユニット１１３に入射される。
【００２２】
光学ユニット１１３は、入射された画像光を投射面１０５上に結像させるレンズやミラーを備える。光学ユニット１１３は、ズームレンズやフォーカスレンズ等の各種のレンズ又はレンズ群を含む構成とすることも可能である。
【００２３】
プロジェクター１００は、操作部１３１、リモコン受光部１３３、入力インターフェース１３５、記憶部１３７、第３通信部１４１、第４通信部１４２、フレームメモリー１４３、画像処理部１４５及び第２制御部１５０を更に備える。入力インターフェース１３５、記憶部１３７、第３通信部１４１、画像処理部１４５及び第２制御部１５０は、バス１０７を介して相互にデータ通信可能に接続される。
【００２４】
操作部１３１は、プロジェクター１００の筐体表面に設けられた各種のボタンやスイッチを備え、これらのボタンヤスイッチの操作に対応した操作信号を生成して入力インターフェース１３５に出力する。入力インターフェース１３５は、操作部１３１から入力された操作信号を第２制御部１５０に出力する。
【００２５】
リモコン受光部１３３は、リモコン５から送信される赤外線信号を受光し、受光した赤外線信号をデコードして操作信号を生成する。リモコン受光部１３３は、生成した操作信号を入力インターフェース１３５に出力する。入力インターフェース１３５は、リモコン受光部１３３から入力された操作信号を第２制御部１５０に出力する。
操作部１３１とリモコン５とは、第２操作部１３０を構成する。
【００２６】
記憶部１３７は、例えば、ハードディスクドライブやＳＳＤ（Ｓｏｌｉｄ  Ｓｔａｔｅ  Ｄｒｉｖｅ）等の不揮発性の記憶装置であり、第２制御部１５０が実行するプログラムや、第２制御部１５０が処理したデータ、画像データ等を記憶する。
【００２７】
第３通信部１４１は、スマートフォン２００の第１通信部２３０との間で無線通信を行う。第３通信部１４１は、例えば、Ｗｉ−Ｆｉ（登録商標）を介して、第１通信部２３０との間で無線通信を行う。スマートフォン２００の構成については、後述にて図２を参照して説明する。また、第１通信部２３０については、後述にて図２を参照して説明する。
具体的には、第３通信部１４１は、第１通信部２３０から画像データを受信する。スマートフォン２００が供給する画像データは、静止画像データであってもよいし、動画像データであってもよい。また、実施形態では、プロジェクター１００とスマートフォン２００とが無線で接続される場合を説明するが、プロジェクター１００とスマートフォン２００とを有線で接続した構成であってもよい。
スマートフォン２００は、「画像送信装置」の一例に相当する。「画像送信装置」は、ＤＶＤやブルーレイ等の光ディスクの再生装置であってもよいし、パーソナルコンピューターであってもよい。
【００２８】
第３通信部１４１は、スマートフォン２００の第１通信部２３０から画像信号を受信し、受信した画像信号に含まれる画像データ及び同期信号を取り出す。画像データは、複数の画素の各々の階調を色成分毎に示すデータである。また、同期信号は、同期タイミングを示す信号であり、水平同期信号及び垂直同期信号を含む。第３通信部１４１は、取り出した同期信号を、第２制御部１５０及び画像処理部１４５に出力し、画像データを画像処理部１４５に出力する。第２制御部１５０は、水平同期信号及び垂直同期信号に基づいて処理の実行タイミングを判定し、判定したタイミングに基づいてプロジェクター１００の各部を制御する。画像処理部１４５は、水平同期信号及び垂直同期信号に同期して画像データに画像処理を実行し、処理後の画像データを光変調装置駆動部１２２に出力する。
第３通信部１４１が画像信号から取得した画像データは、「画像」に対応する。
【００２９】
第４通信部１４２は、スマートフォン２００の第２通信部２４０との間で無線通信を行う。第４通信部１４２は、例えば、Ｂｌｕｅｔｏｏｔｈ（登録商標）を介して、第２通信部２４０との間で無線通信を行う。Ｂｌｕｅｔｏｏｔｈ（登録商標）は、「近距離無線通信」の一例に相当する。
すなわち、第３通信部１４１と第４通信部１４２とは、互いに異なるハードウェアで構成される。換言すれば、第３通信部１４１と第４通信部１４２とは、互いに独立して無線通信を実行する。また、第１通信部２３０と第２通信部２４０とは、互いに異なるハードウェアで構成される。換言すれば、第１通信部２３０と第２通信部２４０とは、互いに独立して無線通信を実行する。
具体的には、第４通信部１４２は、第２通信部２４０との間で制御情報ＣＪを送信または受信する。制御情報ＣＪは、第３通信部１４１と第１通信部２３０との間の通信が切断した場合に、再接続するか否かを判定するための情報を含む。制御情報ＣＪについては、後述にて図２を参照して詳細に説明する。
【００３０】
画像処理部１４５及びフレームメモリー１４３は、例えば、集積回路により構成することができる。集積回路は、ＬＳＩ、ＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）、ＰＬＤ（Ｐｒｏｇｒａｍｍａｂｌｅ  Ｌｏｇｉｃ  Ｄｅｖｉｃｅ）を含む。ＰＬＤには、例えば、ＦＰＧＡ（Ｆｉｅｌｄ−Ｐｒｏｇｒａｍｍａｂｌｅ  Ｇａｔｅ  Ａｒｒａｙ）が含まれる。また、集積回路の構成の一部にアナログ回路が含まれていてもよく、プロセッサーと集積回路との組み合わせであってもよい。プロセッサーと集積回路との組み合わせは、マイクロコントローラー（ＭＣＵ）、ＳｏＣ（Ｓｙｓｔｅｍ−ｏｎ−ａ−ｃｈｉｐ）、システムＬＳＩ、チップセットなどと呼ばれる。
【００３１】
画像処理部１４５は、第３通信部１４１から入力された画像データをフレームメモリー１４３に展開する。フレームメモリー１４３は、複数のバンクを備える。各バンクは、１フレーム分の画像データを書き込み可能な記憶容量を有する。フレームメモリー１４３は、例えば、ＳＤＲＡＭ（Ｓｙｎｃｈｒｏｎｏｕｓ  Ｄｙｎａｍｉｃ  Ｒａｎｄｏｍ  Ａｃｃｅｓｓ  Ｍｅｍｏｒｙ）により構成される。
【００３２】
画像処理部１４５は、フレームメモリー１４３に展開した画像データに対して、例えば、解像度変換処理又はリサイズ処理、歪曲収差の補正、形状補正処理、デジタルズーム処理、画像の色合いや輝度の調整、フレームレート変換処理等の画像処理を行う。
【００３３】
第２制御部１５０は、メモリー１５１及びプロセッサー１５３を備える。
メモリー１５１は、プロセッサー１５３が実行する制御プログラムやデータを不揮発的に記憶する記憶装置であり、磁気的記憶装置、フラッシュＲＯＭ等の半導体記憶素子、或いはその他の種類の不揮発性記憶装置により構成される。また、メモリー１５１は、プロセッサー１５３のワークエリアを構成するＲＡＭを含んでもよい。メモリー１５１は、第２制御部１５０により処理されるデータや、プロセッサー１５３が実行する制御プログラムを記憶する。
【００３４】
プロセッサー１５３は、単一のプロセッサーで構成されてもよいし、複数のプロセッサーがプロセッサー１５３として機能する構成であってもよい。プロセッサー１５３は、制御プログラムを実行してプロジェクター１００の各部を制御する。例えば、プロセッサー１５３は、操作部１３１やリモコン５により受け付けた操作に対応した画像処理の実行指示と、この画像処理に用いるパラメーターとを画像処理部１４５に出力する。パラメーターには、例えば、投射面１０５に投射する画像の幾何的な歪みを補正するための幾何補正パラメーター等が含まれる。また、プロセッサー１５３は、光源駆動部１２１を制御して光源１１１の点灯と消灯を制御し、また光源１１１の輝度を調整する。
【００３５】
＜第１実施形態及び第２実施形態に共通の構成＞
図２は、第１実施形態及び第２実施形態に係る表示システム１の構成を示す図である。
図２に示すように、表示システム１は、プロジェクター１００とスマートフォン２００とを備える。スマートフォン２００は、図１に示す第１通信部２３０及び第２通信部２４０に加えて、第１制御部２１０と、第１操作部２５０とを備える。
プロジェクター１００は、第３通信部１４１と、第４通信部１４２と、第２制御部１５０と、第２操作部１３０とを備える。第２操作部１３０は、図１に示す操作部１３１とリモコン５とを含む。
【００３６】
第１操作部２５０は、タッチパネルを有し、タッチパネルを介して、ユーザーからの操作を受け付ける。タッチパネルは、ＬＣＤ（Ｌｉｑｕｉｄ  Ｃｒｙｓｔａｌ  Ｄｉｓｐｌａｙ）とタッチセンサーとを有する。
第１操作部２５０は、例えば、プロジェクター１００との通信を接続する旨の接続操作ＰＣ１を受け付ける。具体的には、第１操作部２５０は、第１通信部２３０とプロジェクター１００の第３通信部１４１との通信を接続する旨の接続操作ＰＣ１を受け付ける。
また、第１操作部２５０は、例えば、プロジェクター１００に対する画像データの送信を停止する旨の停止操作ＰＳ１を受け付ける。具体的には、第１操作部２５０は、第１通信部２３０に対して、第３通信部１４１への画像データの送信を停止する旨の停止操作ＰＳ１を受け付ける。
また、第１操作部２５０は、例えば、プロジェクター１００との通信を切断する旨の切断操作ＰＤ１を受け付ける。具体的には、第１操作部２５０は、第１通信部２３０とプロジェクター１００の第３通信部１４１との通信を切断する旨の切断操作ＰＤ１を受け付ける。
また、第１操作部２５０は、画像データの送信先を変更する旨の変更操作ＰＥ１を受け付ける。具体的には、第１操作部２５０は、画像データの送信先をプロジェクター１００から別の装置に変更する旨の変更操作ＰＥ１を受け付ける。この場合には、第１通信部２３０とプロジェクター１００の第３通信部１４１との通信は切断され、第１通信部２３０と別の装置との通信が接続され、第１通信部２３０から別の装置に対して画像データが送信される。
【００３７】
第１制御部２１０は、メモリー２１１及びプロセッサー２１２を備える。
メモリー２１１は、プロセッサー２１２が実行するプログラムやデータを不揮発的に記憶する記憶装置であり、磁気的記憶装置、フラッシュＲＯＭ等の半導体記憶素子、或いはその他の種類の不揮発性記憶装置により構成される。また、メモリー２１１は、プロセッサー２１２のワークエリアを構成するＲＡＭを含んでもよい。メモリー２１１は、第１制御部２１０により処理されるデータや、プロセッサー２１２が実行する制御プログラムを記憶する。
【００３８】
プロセッサー２１２は、単一のプロセッサーで構成されてもよいし、複数のプロセッサーがプロセッサー２１２として機能する構成であってもよい。プロセッサー２１２は、制御プログラムを実行してスマートフォン２００の各部を制御する。
【００３９】
第１制御部２１０は、画像送信部２２１と、制御情報通信部２２２と、第１操作受付部２２３と、第１操作記憶部２２４とを備える。
具体的には、第１制御部２１０のプロセッサー２１２が制御プログラムを実行することによって、画像送信部２２１、制御情報通信部２２２及び第１操作受付部２２３として機能する。また、メモリー２１１を第１操作記憶部２２４として機能させる。第１制御部２１０は、「送信側制御部」の一例に相当する。
【００４０】
画像送信部２２１は、第１通信部２３０とプロジェクター１００の第３通信部１４１との通信を接続させ、第１通信部２３０から第３通信部１４１に対して画像データを送信させる。
画像データは、例えば、第１操作部２５０のタッチパネルに表示された画像を示す。スマートフォン２００のメモリー２１１は、例えば、映画の画像データを記憶する。そして、スマートフォン２００は、映画の画像データをタッチパネルのＬＣＤに表示する。
【００４１】
制御情報通信部２２２は、第２通信部２４０とプロジェクター１００の第４通信部１４２との間の通信を接続させる。また、制御情報通信部２２２は、制御情報ＣＪを生成し、第２通信部２４０から第４通信部１４２に対して制御情報ＣＪを送信させる。
制御情報ＣＪは、第３通信部１４１と第１通信部２３０との間の通信が切断した場合に、再接続するか否かを判定するための情報を含む。具体的には、制御情報ＣＪは、第３通信部１４１と第１通信部２３０との間の通信の切断が第１操作部２５０の操作に起因することを示す原因情報ＣＪ２を含む。
【００４２】
例えば、以下の場合には、原因情報ＣＪ２は、第３通信部１４１と第１通信部２３０との間の通信の切断が第１操作部２５０の操作に起因することを示す。
すなわち、第１操作部２５０が停止操作ＰＳ１を受け付け、停止操作ＰＳ１に起因して第３通信部１４１と第１通信部２３０との間の通信が切断された場合には、原因情報ＣＪ２は、切断が第１操作部２５０の操作に起因することを示す。
また、第１操作部２５０が切断操作ＰＤ１を受け付け、切断操作ＰＤ１に起因して第３通信部１４１と第１通信部２３０との間の通信が切断された場合には、原因情報ＣＪ２は、切断が第１操作部２５０の操作に起因することを示す。
また、第１操作部２５０が変更操作ＰＥ１を受け付け、変更操作ＰＥ１に起因して第３通信部１４１と第１通信部２３０との間の通信が切断された場合には、原因情報ＣＪ２は、切断が第１操作部２５０の操作に起因することを示す。
【００４３】
第１操作受付部２２３は、第１操作部２５０に対するユーザーの操作を受け付ける。ユーザーの操作は、接続操作ＰＣ１、停止操作ＰＳ１、切断操作ＰＤ１及び変更操作ＰＥ１を含む。
【００４４】
第１操作記憶部２２４は、第１操作受付部２２３が受け付けたユーザーの操作を記憶する。例えば、第１操作受付部２２３がユーザーの操作を受け付ける度に、第１操作記憶部２２４は、第１操作受付部２２３が受け付けたユーザーの操作を示す操作情報を記憶する。また、第１操作記憶部２２４は、所定個数の操作情報を記憶する。所定個数は、例えば１００個である。
第１操作記憶部２２４に記憶された操作情報の個数が所定個数に到達した場合には、第１制御部２１０によって、以下の処理が行われる。すなわち、第１操作受付部２２３がユーザーの操作を受け付ける度に、第１操作記憶部２２４に記憶された操作情報のうち、最も古い操作情報が消去され、第１操作受付部２２３が受け付けたユーザーの操作を示す操作情報を第１操作記憶部２２４に記憶する。
【００４５】
第２操作部１３０は、例えば、スマートフォン２００との通信を接続する旨の接続操作ＰＣ２を受け付ける。具体的には、第２操作部１３０は、スマートフォン２００の第１通信部２３０と第３通信部１４１との通信を接続する旨の接続操作ＰＣ２を受け付ける。
また、第２操作部１３０は、例えば、スマートフォン２００からの画像データの表示を停止する旨の停止操作ＰＳ２を受け付ける。具体的には、第２操作部１３０は、第３通信部１４１に対して、第１通信部２３０からの画像データの受信を停止する旨の停止操作ＰＳ２を受け付ける。
また、第２操作部１３０は、例えば、スマートフォン２００との通信を切断する旨の切断操作ＰＤ２を受け付ける。具体的には、第２操作部１３０は、第３通信部１４１とスマートフォン２００の第１通信部２３０との通信を切断する旨の切断操作ＰＤ２を受け付ける。
【００４６】
第２制御部１５０は、画像受信部１６１と、制御情報通信部１６２と、第２操作受付部１６３と、第２操作記憶部１６４と、検出部１６５と、判定部１６６と、再接続部１６７とを備える。
具体的には、図１に示す第２制御部１５０のプロセッサー１５３が制御プログラムを実行することによって、画像受信部１６１、制御情報通信部１６２、第２操作受付部１６３、検出部１６５、判定部１６６及び再接続部１６７として機能する。また、メモリー１５１を、第２操作記憶部１６４として機能させる。第２制御部１５０は、「受信側制御部」の一例に相当する。
【００４７】
画像受信部１６１は、第３通信部１４１とスマートフォン２００の第１通信部２３０との間の通信を接続させる。また、画像受信部１６１は、スマートフォン２００の第１通信部２３０から送信された画像データを、第３通信部１４１に受信させる。
【００４８】
制御情報通信部１６２は、スマートフォン２００の第２通信部２４０と第４通信部１４２との間の通信を接続させる。また、制御情報通信部１６２は、制御情報通信部２２２からの制御情報ＣＪを、第４通信部１４２に受信させる。
また、制御情報通信部１６２は、制御情報ＣＪを生成する。制御情報ＣＪは、第３通信部１４１と第１通信部２３０との間の通信が切断したことを示す切断情報ＣＪ１を含む。制御情報通信部１６２は、切断情報ＣＪ１を検出部１６５に対して送出する。また、制御情報ＣＪは、第３通信部１４１と第１通信部２３０との間の通信の切断が第２操作部１３０の操作に起因することを示す原因情報ＣＪ３を含む。
【００４９】
例えば、以下の場合には、原因情報ＣＪ３は、第３通信部１４１と第１通信部２３０との間の通信の切断が第２操作部１３０の操作に起因することを示す。
すなわち、第２操作部１３０が停止操作ＰＳ２を受け付け、停止操作ＰＳ２に起因して第３通信部１４１と第１通信部２３０との間の通信が切断された場合には、原因情報ＣＪ３は、切断が第２操作部１３０の操作に起因することを示す。
また、第２操作部１３０が切断操作ＰＤ２を受け付け、切断操作ＰＤ２に起因して第３通信部１４１と第１通信部２３０との間の通信が切断された場合には、原因情報ＣＪ３は、切断が第２操作部１３０の操作に起因することを示す。
【００５０】
第２操作受付部１６３は、第２操作部１３０に対するユーザーの操作を受け付ける。ユーザーの操作は、接続操作ＰＣ２、停止操作ＰＳ２及び切断操作ＰＤ２を含む。
【００５１】
第２操作記憶部１６４は、第２操作受付部１６３が受け付けたユーザーの操作を記憶する。例えば、第２操作受付部１６３がユーザーの操作を受け付ける度に、第２操作記憶部１６４は、第２操作受付部１６３が受け付けたユーザーの操作を示す操作情報を記憶する。また、第２操作記憶部１６４は、所定個数の操作情報を記憶する。所定個数は、例えば１００個である。
第２操作記憶部１６４に記憶された操作情報の個数が所定個数に到達した場合には、第２制御部１５０によって、以下の処理が行われる。すなわち、第２操作受付部１６３がユーザーの操作を受け付ける度に、第２操作記憶部１６４に記憶された操作情報のうち、最も古い操作情報が消去され、第２操作受付部１６３が受け付けたユーザーの操作を示す操作情報を第２操作記憶部１６４に記憶する。
【００５２】
検出部１６５は、第３通信部１４１とスマートフォン２００の第１通信部２３０との間の通信が切断したことを検出する。具体的には、検出部１６５は、制御情報通信部１６２から切断情報ＣＪ１を受け付けた場合に、第３通信部１４１と第１通信部２３０との間の通信が切断したことを検出する。
【００５３】
判定部１６６は、第３通信部１４１と第１通信部２３０との間の通信が切断された場合に、制御情報ＣＪに基づき「特定の切断」であるか否かを判定する。具体的には、判定部１６６は、第３通信部１４１と第１通信部２３０との間の通信が切断された場合に、第２通信部２４０と第４通信部１４２との間で制御情報ＣＪを送信または受信することにより「特定の切断」であるか否かを判定する。「特定の切断」とは、第３通信部１４１と第１通信部２３０との間の通信の切断が、第１操作部２５０の操作、又は第２操作部１３０の操作に起因することを示す。
具体的には、判定部１６６は、原因情報ＣＪ２と原因情報ＣＪ３とに基づき、第３通信部１４１と第１通信部２３０との間の通信の切断が特定の切断であるか否かを判定する。判定部１６６は、原因情報ＣＪ２を、制御情報通信部１６２を介して、制御情報通信部２２２から取得する。判定部１６６は、原因情報ＣＪ３を制御情報通信部１６２から取得する。
更に具体的には、判定部１６６は、以下のようにして、第３通信部１４１と第１通信部２３０との間の通信の切断が特定の切断であるか否かを判定する。
すなわち、判定部１６６が、原因情報ＣＪ２及び原因情報ＣＪ３の少なくともいずれかを取得した場合には、判定部１６６は、第３通信部１４１と第１通信部２３０との間の通信の切断が特定の切断であると判定する。また、判定部１６６が、原因情報ＣＪ２及び原因情報ＣＪ３を取得しない場合には、判定部１６６は、第３通信部１４１と第１通信部２３０との間の通信の切断が特定の切断ではないと判定する。
【００５４】
再接続部１６７は、判定部１６６が第３通信部１４１と第１通信部２３０との間の通信の切断が特定の切断ではないと判定した場合に、第３通信部１４１と第１通信部２３０との間の通信を再接続する。
具体的には、再接続部１６７は、画像受信部１６１に対して、第３通信部１４１とスマートフォン２００の第１通信部２３０との間の通信を再接続させる旨の指示情報を送出する。そして、この指示情報にしたがって、画像受信部１６１は、第３通信部１４１とスマートフォン２００の第１通信部２３０との間の通信を再接続させる。
また、再接続部１６７は、第３通信部１４１と第１通信部２３０との間の通信の再接続処理を開始した時点から再接続処理が完了する時点までの間、第３通信部１４１と第１通信部２３０との間の通信を再接続する旨の画像を投射部１１０に表示させる。例えば、再接続部１６７は、「再接続中です・・・」との文字画像を投射部１１０に表示させる。
なお、再接続部１６７が、スマートフォン２００に「再接続中です・・・」との文字画像を表示させてもよい。
【００５５】
＜第１実施形態＞
図３は、第１実施形態に係る表示システム１の処理を示すフローチャートである。
図３に示すように、まず、ステップＳＡ１０１において、画像送信部２２１又は画像受信部１６１は、第１通信部２３０と第３通信部１４１との通信を接続させる。
次に、ステップＳＡ１０３において、画像送信部２２１は、第１通信部２３０から第３通信部１４１に対する画像データの送信を開始させる。
次に、ステップＳＡ１０５において、制御情報通信部２２２又は制御情報通信部１６２は、第２通信部２４０と第４通信部１４２との間の通信を接続させる。
次に、ステップＳＡ１０７において、検出部１６５は、第３通信部１４１と第１通信部２３０との間の通信の切断を検出したか否かを判定する。
【００５６】
第３通信部１４１と第１通信部２３０との間の通信の切断を検出していないと検出部１６５が判定した場合（ステップＳＡ１０７でＮＯ）には、処理が待機状態になる。第３通信部１４１と第１通信部２３０との間の通信の切断を検出したと検出部１６５が判定した場合（ステップＳＡ１０７でＹＥＳ）には、処理がステップＳＡ１０９に進む。
そして、ステップＳＡ１０９において、判定部１６６は、第３通信部１４１と第１通信部２３０との間の通信の切断が「特定の切断」であるか否かを判定する。
第３通信部１４１と第１通信部２３０との間の通信の切断が特定の切断であると判定部１６６が判定した場合（ステップＳＡ１０９でＹＥＳ）には、処理が終了する。第３通信部１４１と第１通信部２３０との間の通信の切断が特定の切断ではないと判定部１６６が判定した場合（ステップＳＡ１０９でＮＯ）には、処理がステップＳＡ１１１に進む。
【００５７】
そして、ステップＳＡ１１１において、再接続部１６７は、第３通信部１４１と第１通信部２３０との間の通信の再接続処理を開始する。
次に、ステップＳＡ１１３において、再接続部１６７は、第３通信部１４１と第１通信部２３０との間の通信を再接続する旨の画像を投射部１１０に表示させる。
次に、ステップＳＡ１１５において、再接続部１６７は、第３通信部１４１と第１通信部２３０との間の通信の再接続処理が完了したか否かを判定する。
第３通信部１４１と第１通信部２３０との間の通信の再接続処理が完了していないと再接続部１６７が判定した場合（ステップＳＡ１１５でＮＯ）の場合には、処理が待機状態になる。第３通信部１４１と第１通信部２３０との間の通信の再接続処理が完了したと再接続部１６７が判定した場合（ステップＳＡ１１５でＹＥＳ）の場合には、処理がステップＳＡ１１７に進む。
そして、ステップＳＡ１１７において、再接続部１６７は、第３通信部１４１と第１通信部２３０との間の通信を再接続する旨の画像の表示を投射部１１０に終了させる。その後、処理が終了する。
【００５８】
以上、図３を参照して説明したように、第１実施形態では、第１通信部２３０と第３通信部１４１との間の通信が切断された場合に、判定部１６６は、以下の処理を実行する。すなわち、判定部１６６は、制御情報ＣＪに基づき特定の切断であるか否かを判定する。特定の切断でないと判定された場合に、再接続部１６７は、第１通信部２３０と第３通信部１４１との間の通信を再接続する。
よって、第１通信部２３０と第３通信部１４１との間の通信の切断が、例えば、ユーザーにとって予期しない切断であった場合に、第１通信部２３０と第３通信部１４１との間の通信を再接続できる。したがって、ユーザーの利便性を向上できる。
【００５９】
また、第３通信部１４１と第１通信部２３０との間の通信の切断が、第１操作部２５０の操作、又は第２操作部１３０の操作に起因する場合に、判定部１６６は、第３通信部１４１と第１通信部２３０との間の通信の切断が「特定の切断」であると判定する。
よって、第３通信部１４１と第１通信部２３０との間の通信の切断が、ユーザーの操作に起因する場合に、判定部１６６は、第３通信部１４１と第１通信部２３０との間の通信の切断が「特定の切断」であると判定できる。したがって、第３通信部１４１と第１通信部２３０との間の通信の切断が「特定の切断」であるか否かを適正に判定できる。
【００６０】
また、画像送信部２２１が第１通信部２３０から第３通信部１４１に対して画像データの送信を開始したときに、制御情報通信部２２２又は制御情報通信部１６２は、第２通信部２４０と第４通信部１４２との間の通信を接続させる。
よって、第３通信部１４１と第１通信部２３０との間の通信が切断された場合に、第２通信部２４０と第４通信部１４２との間で制御情報ＣＪを送受信できる。したがって、判定部１６６は、第３通信部１４１と第１通信部２３０との間の通信の切断が「特定の切断」であるか否かを適正に判定できる。
【００６１】
また、第３通信部１４１と第４通信部１４２とは、互いに異なるハードウェアで構成され、第１通信部２３０と第２通信部２４０とは、互いに異なるハードウェアで構成される。
したがって、第３通信部１４１と第４通信部１４２との間の通信が切断された場合に、第１通信部２３０と第２通信部２４０との間で制御情報ＣＪを送受信できる。
【００６２】
また、第３通信部１４１と第１通信部２３０との間の通信の切断が特定の切断でないと判定部１６６が判定した場合に、再接続部１６７は、第１通信部２３０と第３通信部１４１との間の通信を再接続する旨を示す画像を投射部１１０に表示させる。
よって、ユーザーは、第１通信部２３０と第３通信部１４１との間の通信を再接続することを認識できる。したがって、ユーザーの利便性を更に向上できる。
【００６３】
なお、第１実施形態では、画像送信部２２１が第１通信部２３０から第３通信部１４１に対して画像データの送信を開始したときに、制御情報通信部２２２又は制御情報通信部１６２は、第２通信部２４０と第４通信部１４２との間の通信を接続させるが、これに限定されない。第１通信部２３０と第３通信部１４１との間の通信の接続が確立したときに、制御情報通信部２２２又は制御情報通信部１６２が、第２通信部２４０と第４通信部１４２との間の通信を接続させてもよい。
この場合には、画像データの送信が開始されなくても、第２通信部２４０と第４通信部１４２との間の通信を接続できる。したがって、第２通信部２４０と第４通信部１４２との間の通信を確実に接続できる。
【００６４】
＜第２実施形態＞
図４は、第２実施形態に係る表示システム１の処理を示すフローチャートである。
図３を参照して説明したように、第１実施形態に係る表示システム１では、画像送信部２２１が第１通信部２３０から第３通信部１４１に対して画像データの送信を開始したときに、以下の処理を実行する。すなわち、制御情報通信部２２２又は制御情報通信部１６２は、第２通信部２４０と第４通信部１４２との間の通信を接続させる。
これに対して、第２実施形態に係る表示システム１では、第３通信部１４１と第１通信部２３０との間の通信が切断されたときに、上記処理を実行する点で、第１実施形態に係る表示システム１と相違する。
以下では、第１実施形態に係る表示システム１と相違する点について主に説明し、第１実施形態に係る表示システム１と同一の処理については、その説明を省略する。
【００６５】
図４に示すように、ステップＳＡ２０１において、画像送信部２２１又は画像受信部１６１は、第１通信部２３０と第３通信部１４１との通信を接続させる。
次に、ステップＳＡ２０３において、画像送信部２２１は、第１通信部２３０から第３通信部１４１に対する画像データの送信を開始させる。
次に、ステップＳＡ２０５において、検出部１６５は、第３通信部１４１と第１通信部２３０との間の通信の切断を検出したか否かを判定する。
第３通信部１４１と第１通信部２３０との間の通信の切断を検出していないと検出部１６５が判定した場合（ステップＳＡ２０５でＮＯ）には、処理が待機状態になる。第３通信部１４１と第１通信部２３０との間の通信の切断を検出したと検出部１６５が判定した場合（ステップＳＡ２０５でＹＥＳ）には、処理がステップＳＡ２０７に進む。
そして、ステップＳＡ２０７において、制御情報通信部２２２又は制御情報通信部１６２は、第２通信部２４０と第４通信部１４２との間の通信を接続させる。
その後、ステップＳＡ２０９〜ステップＳＡ２１７が実行されるが、これらの処理は、図３においてステップＳＡ１０９〜ステップＳＡ１１７で実行される処理と同一であるため、その説明を省略する。
【００６６】
以上、図４を参照して説明したように、第２実施形態に係る表示システム１では、制御情報通信部２２２又は制御情報通信部１６２は、以下の処理を実行する。すなわち、検出部１６５が、第３通信部１４１と第１通信部２３０との間の通信の切断を検出したときに、制御情報通信部２２２又は制御情報通信部１６２は、第２通信部２４０と第４通信部１４２との間の通信を接続させる。
よって、第３通信部１４１と第１通信部２３０との間の通信が切断された場合に、第２通信部２４０と第４通信部１４２との間で制御情報ＣＪを送受信できる。したがって、判定部１６６は、第３通信部１４１と第１通信部２３０との間の通信の切断が「特定の切断」であるか否かを適正に判定できる。
また、第１実施形態に係る表示システム１と比較して、第２通信部２４０と第４通信部１４２との間の通信を接続している期間を短くできる。したがって、第２通信部２４０と第４通信部１４２とを接続するために発生する電力等の費用を低減できる。また、第２通信部２４０と第４通信部１４２とを接続するために生じる第２通信部２４０及び第４通信部１４２の劣化を抑制できる。
【００６７】
＜第３実施形態及び第４実施形態に共通の構成＞
図５は、第３実施形態及び第４実施形態に係る表示システム１の構成を示す図である。
図５に示すように、第３実施形態及び第４実施形態に係る表示システム１の第１制御部２１０が、検出部２２５と、判定部２２６と、再接続部２２７とを備える点で、図２に示す第１実施形態及び第２実施形態に係る表示システム１と相違する。
また、第３実施形態及び第４実施形態に係る表示システム１の第２制御部１５０が、検出部１６５と、判定部１６６と、再接続部１６７とを備えない点で、図２に示す第１実施形態及び第２実施形態に係る表示システム１と相違する。
以下では、図２に示す第１実施形態及び第２実施形態に係る表示システム１と相違する点について説明し、第１実施形態及び第２実施形態に係る表示システム１と同一の構成については、その説明を省略する。
【００６８】
図５に示すように、第１制御部２１０は、画像送信部２２１と、制御情報通信部２２２と、第１操作受付部２２３と、第１操作記憶部２２４と、検出部２２５と、判定部２２６と、再接続部２２７とを備える。
具体的には、第１制御部２１０のプロセッサー２１２が制御プログラムを実行することによって、画像送信部２２１、制御情報通信部２２２、第１操作受付部２２３、検出部２２５、判定部２２６及び再接続部２２７として機能する。また、メモリー２１１を第１操作記憶部２２４として機能させる。
また、第２制御部１５０は、画像受信部１６１と、制御情報通信部１６２と、第２操作受付部１６３と、第２操作記憶部１６４とを備える。
具体的には、図１に示す第２制御部１５０のプロセッサー１５３が制御プログラムを実行することによって、画像受信部１６１、制御情報通信部１６２、第２操作受付部１６３として機能する。また、メモリー１５１を、第２操作記憶部１６４として機能させる。
【００６９】
制御情報通信部２２２は、第２通信部２４０と第４通信部１４２との間の通信を接続させる。また、制御情報通信部２２２は、制御情報通信部１６２との間で、制御情報ＣＪを通信する。例えば、制御情報通信部２２２は、制御情報通信部１６２からの制御情報ＣＪを、第４通信部１４２に受信させる。
また、制御情報通信部２２２は、制御情報ＣＪを生成する。制御情報ＣＪは、第３通信部１４１と第１通信部２３０との間の通信が切断したことを示す切断情報ＣＪ１を含む。制御情報通信部２２２は、切断情報ＣＪ１を検出部２２５に対して送出する。また、制御情報ＣＪは、第３通信部１４１と第１通信部２３０との間の通信の切断が第１操作部２５０の操作に起因することを示す原因情報ＣＪ２を含む。
【００７０】
検出部２２５は、第１通信部２３０とプロジェクター１００の第３通信部１４１との間の通信が切断したことを検出する。具体的には、検出部２２５は、制御情報通信部２２２から切断情報ＣＪ１を受け付けた場合に、第１通信部２３０と第３通信部１４１との間の通信が切断したことを検出する。
【００７１】
判定部２２６は、第１通信部２３０と第３通信部１４１との間の通信が切断された場合に、制御情報ＣＪに基づき、「特定の切断」であるか否かを判定する。具体的には、判定部２２６は、第１通信部２３０と第３通信部１４１との間の通信が切断された場合に、第２通信部２４０と第４通信部１４２との間で制御情報ＣＪを送信または受信することにより「特定の切断」であるか否かを判定する。
更に具体的には、判定部２２６は、原因情報ＣＪ２と原因情報ＣＪ３とに基づき、第１通信部２３０と第３通信部１４１との間の通信の切断が特定の切断であるか否かを判定する。判定部２２６は、原因情報ＣＪ３を、制御情報通信部２２２を介して、制御情報通信部１６２から取得する。判定部２２６は、原因情報ＣＪ２を制御情報通信部２２２から取得する。
【００７２】
再接続部２２７は、判定部２２６が第１通信部２３０と第３通信部１４１との間の通信の切断が特定の切断ではないと判定した場合に、第１通信部２３０と第３通信部１４１との間の通信を再接続する。
具体的には、再接続部２２７は、画像送信部２２１に対して、第１通信部２３０とプロジェクター１００の第３通信部１４１との間の通信を再接続させる旨の制御情報ＣＪを送出する。そして、この制御情報ＣＪにしたがって、画像送信部２２１は、第１通信部２３０とプロジェクター１００の第３通信部１４１との間の通信を再接続させる。
また、再接続部２２７は、第１通信部２３０と第３通信部１４１との間の通信の再接続処理を開始した時点から再接続処理が完了する時点までの間、第１通信部２３０と第３通信部１４１との間の通信を再接続する旨の画像を投射部１１０に表示させる。例えば、再接続部２２７は、「再接続中です・・・」との文字画像を投射部１１０に表示させる。
具体的には、再接続部２２７は、制御情報通信部２２２に対して、第２通信部２４０と第４通信部１４２との間の通信を介して、「再接続中です・・・」との文字画像を投射部１１０に表示する旨の制御情報ＣＪを制御情報通信部１６２に送信する。制御情報通信部１６２は、受信した制御情報ＣＪにしたがって、「再接続中です・・・」との文字画像を投射部１１０に表示させる。
なお、再接続部２２７が、スマートフォン２００に「再接続中です・・・」との文字画像を表示させてもよい。
【００７３】
＜第３実施形態＞
図６は、第３実施形態に係る表示システム１の処理を示すフローチャートである。
図６に示すように、まず、ステップＳＢ１０１において、画像送信部２２１又は画像受信部１６１は、第１通信部２３０と第３通信部１４１との通信を接続させる。
次に、ステップＳＢ１０３において、画像送信部２２１は、第１通信部２３０から第３通信部１４１に対して画像データの送信を開始させる。
次に、ステップＳＢ１０５において、制御情報通信部２２２又は制御情報通信部１６２は、第２通信部２４０と第４通信部１４２との間の通信を接続させる。
次に、ステップＳＢ１０７において、検出部２２５は、第１通信部２３０と第３通信部１４１との間の通信の切断を検出したか否かを判定する。
【００７４】
第１通信部２３０と第３通信部１４１との間の通信の切断を検出していないと検出部２２５が判定した場合（ステップＳＢ１０７でＮＯ）には、処理が待機状態になる。第１通信部２３０と第３通信部１４１との間の通信の切断を検出したと検出部２２５が判定した場合（ステップＳＢ１０７でＹＥＳ）には、処理がステップＳＢ１０９に進む。
そして、ステップＳＢ１０９において、判定部２２６は、第１通信部２３０と第３通信部１４１との間の通信の切断が「特定の切断」であるか否かを判定する。
第１通信部２３０と第３通信部１４１との間の通信の切断が特定の切断であると判定部２２６が判定した場合（ステップＳＢ１０９でＹＥＳ）には、処理が終了する。第１通信部２３０と第３通信部１４１との間の通信の切断が特定の切断ではないと判定部２２６が判定した場合（ステップＳＢ１０９でＮＯ）には、処理がステップＳＢ１１１に進む。
【００７５】
そして、ステップＳＢ１１１において、再接続部２２７は、第１通信部２３０と第３通信部１４１との間の通信の再接続処理を開始する。
次に、ステップＳＢ１１３において、再接続部２２７は、第１通信部２３０と第３通信部１４１との間の通信を再接続する旨の画像を投射部１１０に表示させる。
次に、ステップＳＢ１１５において、再接続部２２７は、第１通信部２３０と第３通信部１４１との間の通信の再接続処理が完了したか否かを判定する。
第１通信部２３０と第３通信部１４１との間の通信の再接続処理が完了していないと再接続部２２７が判定した場合（ステップＳＢ１１５でＮＯ）の場合には、処理が待機状態になる。第１通信部２３０と第３通信部１４１との間の通信の再接続処理が完了したと再接続部２２７が判定した場合（ステップＳＢ１１５でＹＥＳ）の場合には、処理がステップＳＢ１１７に進む。
そして、ステップＳＢ１１７において、再接続部２２７は、第１通信部２３０と第３通信部１４１との間の通信を再接続する旨の画像の表示を投射部１１０に終了させる。その後、処理が終了する。
【００７６】
以上、図６を参照して説明したように、第３実施形態では、第１通信部２３０と第３通信部１４１との間の通信が切断された場合に、判定部２２６は、以下の処理を実行する。すなわち、判定部２２６は、制御情報ＣＪに基づき特定の切断であるか否かを判定する。特定の切断でないと判定された場合に、再接続部２２７は、第１通信部２３０と第３通信部１４１との間の通信を再接続する。
よって、第１通信部２３０と第３通信部１４１との間の通信の切断が、例えば、ユーザーにとって予期しない切断であった場合に、第１通信部２３０と第３通信部１４１との間の通信を再接続できる。したがって、ユーザーの利便性を向上できる。
【００７７】
また、第３通信部１４１と第１通信部２３０との間の通信の切断が、第１操作部２５０の操作、又は第２操作部１３０の操作に起因する場合に、判定部２２６は、第３通信部１４１と第１通信部２３０との間の通信の切断が「特定の切断」であると判定する。
よって、第３通信部１４１と第１通信部２３０との間の通信の切断が、ユーザーの操作に起因する場合に、判定部２２６は、第３通信部１４１と第１通信部２３０との間の通信の切断が「特定の切断」であると判定できる。したがって、第３通信部１４１と第１通信部２３０との間の通信の切断が「特定の切断」であるか否かを適正に判定できる。
【００７８】
また、画像送信部２２１が第１通信部２３０から第３通信部１４１に対して画像データの送信を開始したときに、制御情報通信部２２２又は制御情報通信部１６２は、第２通信部２４０と第４通信部１４２との間の通信を接続させる。
よって、第３通信部１４１と第１通信部２３０との間の通信が切断された場合に、第２通信部２４０と第４通信部１４２との間で制御情報ＣＪを送受信できる。したがって、判定部２２６は、第３通信部１４１と第１通信部２３０との間の通信の切断が「特定の切断」であるか否かを適正に判定できる。
【００７９】
また、第３通信部１４１と第４通信部１４２とは、互いに異なるハードウェアで構成され、第１通信部２３０と第２通信部２４０とは、互いに異なるハードウェアで構成される。
したがって、第３通信部１４１と第４通信部１４２との間の通信が切断された場合に、第１通信部２３０と第２通信部２４０との間で制御情報ＣＪを送受信できる。
【００８０】
また、第３通信部１４１と第１通信部２３０との間の通信の切断が特定の切断でないと判定部２２６が判定した場合に、再接続部２２７は、第１通信部２３０と第３通信部１４１との間の通信を再接続する旨を示す画像を投射部１１０に表示させる。
よって、ユーザーは、第１通信部２３０と第３通信部１４１との間の通信を再接続することを認識できる。したがって、ユーザーの利便性を更に向上できる。
【００８１】
＜第４実施形態＞
図７は、第４実施形態に係る表示システム１の処理を示すフローチャートである。
図６を参照して説明したように、第３を参照実施形態に係る表示システム１では、画像送信部２２１が第１通信部２３０から第３通信部１４１に対して画像データの送信を開始したときに、以下の処理を実行する。すなわち、制御情報通信部２２２又は制御情報通信部１６２は、第２通信部２４０と第４通信部１４２との間の通信を接続させる。
これに対して、第４実施形態に係る表示システム１では、第１通信部２３０と第３通信部１４１との間の通信が切断されたときに、上記処理を実行する点で、第３実施形態に係る表示システム１と相違する。
以下では、第３実施形態に係る表示システム１と相違する点について主に説明し、第３実施形態に係る表示システム１と同一の処理については、その説明を省略する。
【００８２】
図７に示すように、ステップＳＢ２０１において、画像送信部２２１又は画像受信部１６１は、第１通信部２３０と第３通信部１４１との通信を接続させる。
次に、ステップＳＢ２０３において、画像送信部２２１は、第１通信部２３０から第３通信部１４１に対して画像データの送信を開始させる。
次に、ステップＳＢ２０５において、検出部２２５は、第１通信部２３０と第３通信部１４１との間の通信の切断を検出したか否かを判定する。
第１通信部２３０と第３通信部１４１との間の通信の切断を検出していないと検出部２２５が判定した場合（ステップＳＢ２０５でＮＯ）には、処理が待機状態になる。第１通信部２３０と第３通信部１４１との間の通信の切断を検出したと検出部２２５が判定した場合（ステップＳＢ２０５でＹＥＳ）には、処理がステップＳＢ２０７に進む。
そして、ステップＳＢ２０７において、制御情報通信部２２２又は制御情報通信部１６２は、第２通信部２４０と第４通信部１４２との間の通信を接続させる。
その後、ステップＳＢ２０９〜ステップＳＢ２１７が実行されるが、これらの処理は、図６においてステップＳＢ１０９〜ステップＳＢ１１７で実行される処理と同一であるため、その説明を省略する。
【００８３】
以上、図７を参照して説明したように、第４実施形態に係る表示システム１では、制御情報通信部２２２又は制御情報通信部１６２は、以下の処理を実行する。すなわち、検出部２２５が、第１通信部２３０と第３通信部１４１との間の通信の切断を検出したときに、制御情報通信部２２２又は制御情報通信部１６２は、第２通信部２４０と第４通信部１４２との間の通信を接続させる。
よって、第３通信部１４１と第１通信部２３０との間の通信が切断された場合に、第２通信部２４０と第４通信部１４２との間で制御情報ＣＪを送受信できる。したがって、判定部２２６は、第３通信部１４１と第１通信部２３０との間の通信の切断が「特定の切断」であるか否かを適正に判定できる。
また、第３実施形態に係る表示システム１と比較して、第２通信部２４０と第４通信部１４２との間の通信を接続している期間を短くできる。したがって、第２通信部２４０と第４通信部１４２とを接続するために発生する電力等の費用を低減できる。また、第２通信部２４０と第４通信部１４２とを接続するために生じる第２通信部２４０及び第４通信部１４２の劣化を抑制できる。
【００８４】
上述した実施形態は、好適な実施の形態である。ただし、上述の実施形態に限定されるものではなく、要旨を逸脱しない範囲内において種々の変形実施が可能である。
【００８５】
例えば、上記実施形態では、プロジェクター１００を表示装置の一例として示したが、本発明の表示装置は、液晶表示パネルに画像を表示する液晶モニター、液晶テレビ等であってもよい。また、プラズマディスプレイパネル、ＯＬＥＤ（Ｏｒｇａｎｉｃ  ｌｉｇｈｔ−ｅｍｉｔｔｉｎｇ  ｄｉｏｄｅ）、ＯＥＬ（Ｏｒｇａｎｉｃ  Ｅｌｅｃｔｒｏ  Ｌｕｍｉｎｅｓｃｅｎｃｅ）ディスプレイ等の有機ＥＬ表示パネルを備えた装置であってもよい。
【００８６】
上述の実施形態では、スマートフォン２００が第１操作部２５０を備え、且つプロジェクター１００が第２操作部１３０を備えるが、これに限定されない。スマートフォン２００が第１操作部２５０を備える場合には、プロジェクター１００が第２操作部１３０を備えなくてもよい。また、プロジェクター１００が第２操作部１３０を備える場合には、スマートフォン２００が第１操作部２５０を備えなくてもよい。
【００８７】
また、例えば、図３、図４、図６及び図７に示すフローチャートの処理単位は、プロジェクター１００とスマートフォン２００との処理を理解容易にするために、主な処理内容に応じて分割したものである。図３、図４、図６及び図７のフローチャートに示す処理単位の分割の仕方や名称によって制限されることはなく、処理内容に応じて、さらに多くの処理単位に分割することもできるし、１つの処理単位がさらに多くの処理を含むように分割することもできる。また、上記のフローチャートの処理順序も、図示した例に限られるものではない。
【００８８】
また、図１、図２及び図５に示した各機能部は機能的構成を示すものであって、具体的な実装形態は特に制限されない。つまり、必ずしも各機能部に個別に対応するハードウェアが実装される必要はなく、一つのプロセッサーがプログラムを実行することで複数の機能部の機能を実現する構成とすることも勿論可能である。また、上記実施形態においてソフトウェアで実現される機能の一部をハードウェアで実現してもよく、或いは、ハードウェアで実現される機能の一部をソフトウェアで実現してもよい。その他、プロジェクター１００の他の各部の具体的な細部構成についても、趣旨を逸脱しない範囲で任意に変更可能である。
【００８９】
また、表示システムの制御方法は、表示システムが備えるコンピューターに、表示システムの制御方法に対応したプログラムを実行させることで実現できる。また、このプログラムは、コンピューターで読み取り可能に記録した記録媒体に記録しておくことも可能である。記録媒体としては、磁気的、光学的記録媒体又は半導体メモリーデバイスを用いることができる。具体的には、フレキシブルディスク、ＨＤＤ（Ｈａｒｄ  Ｄｉｓｋ  Ｄｒｉｖｅ）、ＣＤ−ＲＯＭ（Ｃｏｍｐａｃｔ  Ｄｉｓｋ  Ｒｅａｄ  Ｏｎｌｙ  Ｍｅｍｏｒｙ）、ＤＶＤ（Ｄｉｇｉｔａｌ  Ｖｅｒｓａｔｉｌｅ  Ｄｉｓｋ）、Ｂｌｕ−ｒａｙ（登録商標） Ｄｉｓｃ、光磁気ディスク、フラッシュメモリー、カード型記録媒体等の可搬型、或いは固定式の記録媒体が挙げられる。また、記録媒体は、画像表示装置が備える内部記憶装置であるＲＡＭ（Ｒａｎｄｏｍ  Ａｃｃｅｓｓ  Ｍｅｍｏｒｙ）、ＲＯＭ（Ｒｅａｄ  Ｏｎｌｙ  Ｍｅｍｏｒｙ）、ＨＤＤ等の不揮発性記憶装置であってもよい。また、表示装置の制御方法に対応したプログラムをサーバー装置等に記憶させておき、サーバー装置から表示装置に、プログラムをダウンロードすることで表示システムの制御方法を実現することもできる。
【符号の説明】
【００９０】
１００…プロジェクター（表示装置）、１０５…投射面、１０７…バス、１１０…投射部（表示部）、１１１…光源、１１２…光変調装置、１１３…光学ユニット、１１５…液晶パネル、１２０…駆動部、１２１…光源駆動部、１２２…光変調装置駆動部、１３０…第２操作部、１３１…操作部、１３３…リモコン受光部、１３５…入力インターフェース、１３７…記憶部、１４１…第３通信部、１４２…第４通信部、１４３…フレームメモリー、１４５…画像処理部、１５０…第２制御部（受信側制御部）、１５１…メモリー、１５３…プロセッサー、１６１…画像受信部、１６２…制御情報通信部、１６３…第２操作受付部、１６４…第２操作記憶部、１６５…検出部、１６６…判定部、１６７…再接続部、２００…スマートフォン（画像送信装置）、２１０…第１制御部（送信側制御部）、２１１…メモリー、２１２…プロセッサー、２２１…画像送信部、２２２…制御情報通信部、２２３…第１操作受付部、２２４…第１操作記憶部、２２５…検出部、２２６…判定部、２２７…再接続部、２３０…第１通信部、２４０…第２通信部、２５０…第１操作部、ＣＪ…制御情報、ＣＪ１…切断情報、ＣＪ２…原因情報、ＣＪ３…原因情報、ＬＳＩ…システム、ＰＣ１…接続操作、ＰＣ２…接続操作、ＰＤ１…切断操作、ＰＤ２…切断操作、ＰＥ１…変更操作、ＰＳ１…停止操作、ＰＳ２…停止操作。
【図１】
2020068498.tif 000003
【図２】
2020068498.tif 000004
【図３】
2020068498.tif 000005
【図４】
2020068498.tif 000006
【図５】
2020068498.tif 000007
【図６】
2020068498.tif 000008
【図７】
2020068498.tif 000009